(57)【要約】  【課題】簡単な操作により画像を処理するシーケンスを編集することができる処理シーケンス編集プログラムおよび処理シーケンス編集装置を提供する。【解決手段】選択された処理アイコンをトラックの設定された時刻に合わせて表示し、処理パレット表を参照して、その処理アイコンに対応して設定されている素材数を読み込む（Ｓ３）。つぎに読み込んだ素材数に応じて、素材とする素材を素材パレットに表示されている順序に基づいて設定する。素材を選択すると、その素材の画像を、トラック上に表示された処理アイコンの時間軸上で後（図では右方向）に表示する。シーケンスデータとしては、処理アイコンが設定された時刻に対応して、処理アイコンの種類を示す符号と、素材が表示されている素材パレットの表示順序を記憶する。（Ｓ４）。  【選択図】    図８
2006050154.tif 000002
【特許請求の範囲】
【請求項１】
画像処理の種類に対応する複数の処理アイコンを表示する処理表示ステップと、その処理表示ステップにより表示された複数の処理アイコンの中から所望の処理アイコンを選択する処理選択ステップと、その処理選択ステップにより選択された処理アイコンに対応する画像処理を行う画像処理ステップとを備えた処理シーケンス編集プログラムにおいて、
前記処理選択ステップにより選択された第１の処理アイコンを時間軸上の第１の時刻に設定することにより、第１の処理アイコンに対応する第１の画像処理の開始時刻を第１の時刻に設定し、前記処理選択ステップにより選択された第２の処理アイコンを時間軸上の第１の時刻より後の第２の時刻に設定することにより、第２の処理アイコンに対応する第２の画像処理の開始時刻を第２の時刻に設定する処理開始時刻設定ステップを備え、
前記画像処理ステップは、第１の画像処理を前記処理開始時刻設定ステップにより設定された第１の時刻から開始し、前記処理開始時刻設定ステップにより設定された第２の時刻に終了するとともに第１の画像処理を終了した後第２の画像処理を開始するものであることを特徴とする処理シーケンス編集プログラム。
【請求項２】
複数の画像処理が設定された一連の処理の開始から終了までのシーケンス時間を変更するシーケンス時間変更ステップと、
前記第１の時刻と前記第２の時刻との間のクリップ時間を、前記シーケンス時間変更ステップにより変更される前のシーケンス時間と変更された後のシーケンス時間との比に応じて変更するクリップ時間変更ステップとを備えていることを特徴とする請求項１記載の処理シーケンス編集プログラム。
【請求項３】
前記処理選択ステップにより選択された第１の処理アイコンに対応する第１の画像処理は、所定の画像処理を繰り返し行うものであって、その繰り返し時間を表すループ時間を前記シーケンス時間変更ステップにより変更される前のシーケンス時間と変更された後のシーケンス時間との比に応じて変更するループ時間変更ステップとを備えていることを特徴とする請求項２記載の処理シーケンス編集プログラム。
【請求項４】
処理シーケンス編集プログラムは、複数の画像を記憶する画像記憶手段と画像を表示する表示手段とを備えた処理シーケンス編集装置において実行されるものであって、
前記画像記憶手段に記憶された複数の画像を所定の順序で前記表示手段に表示する素材表示ステップと、
前記処理選択ステップにより処理アイコンが選択されることに応じて、前記素材表示ステップにより表示されている複数の画像の中から前記素材表示ステップにより表示されている順序に応じて選択する素材選択ステップとを備え、
前記画像処理ステップは、前記素材選択ステップにより選択された画像に、前記処理選択ステップにより選択された処理アイコンに対応する画像処理を行うものであることを特徴とする請求項１から３のいずれかに記載の処理シーケンス編集プログラム。
【請求項５】
複数の画像を記憶する画像記憶手段と画像を表示する表示手段とを備えた処理シーケンス編集装置において実行される処理シーケンス編集プログラムであって、
画像処理の種類に対応する複数の処理アイコンを前記表示手段に表示する処理表示ステップと、
その処理表示ステップによりに表示された複数の処理アイコンの中から所望の処理アイコンを選択する処理選択ステップと、
その処理選択ステップにより選択された処理アイコンに対応する画像処理を行う画像処理ステップと、
前記画像記憶手段に記憶された複数の画像を所定の順序で表示する素材表示ステップと、
前記処理選択ステップにより処理アイコンが選択されることに応じて、前記素材表示ステップにより表示されている複数の画像の中から前記素材表示ステップにより表示されている順序に応じて画像を選択する素材選択ステップとを備え、
前記画像処理ステップは、前記素材選択ステップにより選択された画像に、前記処理選択ステップにより選択された処理アイコンに対応する画像処理を行うものであることを特徴とする処理シーケンス編集プログラム。
【請求項６】
処理シーケンス編集装置は、処理アイコンに対応する画像処理により処理される画像の数を処理アイコン毎に記憶する素材数記憶手段を備え、
前記素材選択ステップは、前記素材数記憶手段に記憶されている画像の数に応じて画像処理により処理される画像を選択するものであることを特徴とする請求項４または５に記載の処理シーケンス編集プログラム。
【請求項７】
前記処理選択ステップにより選択された処理アイコンを前記表示手段により表示された時間軸上に表示するとともに、前記素材選択ステップにより選択された画像に対応する素材アイコンを、処理アイコンに続く時間軸上に表示するトラック表示ステップを備えていることを特徴とする請求項４から６のいずれかに記載の処理シーケンス編集プログラム。
【請求項８】
前記素材選択ステップは、前記処理選択ステップにより選択された今回の画像処理の直前に設定された画像処理において最後に処理される画像に応じて、今回設定された画像処理により処理される画像を選択することを特徴とする請求項４から７のいずれかに記載の処理シーケンス編集プログラム。
【請求項９】
前記トラック表示ステップにより表示されている素材アイコンに対応し、その素材アイコンの前記素材表示ステップにより表示されている表示順を記憶する表示順記憶ステップと、
前記素材表示ステップにより表示されている各画像に対応し、前記画像記憶手段に記憶されている画像の記憶位置を記憶する画像アドレス記憶ステップと、
前記画像記憶手段に記憶された任意の画像を前記素材表示ステップにより表示されるように設定する素材画像設定ステップと、
その素材画像設定ステップにより前記画像記憶手段に記憶された画像を前記素材表示ステップにより表示されるように設定された場合は、前記画像アドレス記憶ステップにより記憶された前記画像記憶手段に記憶された画像の記憶位置を変更する画像アドレス変更ステップとを備えていることを特徴とする請求項７または８に記載の処理シーケンス編集プログラム。
【請求項１０】
前記素材画像設定ステップにより、前記画像記憶手段に記憶された画像を前記素材表示ステップにより表示されるように設定された場合は、前記トラック表示ステップにより表示されている素材アイコンを前記画像アドレス記憶ステップにより記憶した、前記画像記憶手段に記憶された画像に対応する素材アイコンに変更するトラック表示変更ステップを備えていることを特徴とする請求項９載の処理シーケンス編集プログラム。
【請求項１１】
前記素材画像設定ステップは、前記画像記憶手段に記憶された複数の画像を同時に前記素材表示ステップにより表示されるように設定するものであることを特徴とする請求項９または１０記載の処理シーケンス編集プログラム。
【請求項１２】
画像処理の種類に対応する複数の処理アイコンを表示する処理表示手段と、その処理表示手段により表示された複数の処理アイコンの中から所望の処理アイコンを選択する処理選択手段と、その処理選択手段により選択された処理アイコンに対応する画像処理を行う画像処理手段とを有する処理シーケンス編集装置において、
前記処理選択手段により選択された第１の処理アイコンを時間軸上の第１の時刻に設定することにより、第１の処理アイコンに対応する第１の画像処理の開始時刻を第１の時刻に設定し、前記処理選択手段により選択された第２の処理アイコンを時間軸上の第１の時刻より後の第２の時刻に設定することにより、第２の処理アイコンに対応する第２の画像処理の開始時刻を第２の時刻に設定する処理開始時刻設定手段を備え、
前記画像処理手段は、第１の画像処理を前記処理開始時刻設定手段により設定された第１の時刻から開始し、前記処理開始時刻設定手段により設定された第２の時刻に終了するとともに第１の画像処理を終了した後第２の画像処理を開始するものであることを特徴とする処理シーケンス編集装置。
【請求項１３】
複数の画像処理が設定された一連の処理の開始から終了までのシーケンス時間を変更するシーケンス時間変更手段と、
前記第１の時刻と前記第２の時刻との間のクリップ時間を、前記シーケンス時間変更手段により変更される前のシーケンス時間と変更された後のシーケンス時間との比に応じて変更するクリップ時間変更手段とを備えていることを特徴とする請求項１２記載の処理シーケンス編集装置。
【請求項１４】
前記処理選択手段により選択された第１の処理アイコンに対応する第１の画像処理は、所定の画像処理を繰り返し行うものであって、その繰り返し時間を表すループ時間を前記シーケンス時間変更手段により変更される前のシーケンス時間と変更された後のシーケンス時間との比に応じて変更するループ時間変更手段とを備えていることを特徴とする請求項１３記載の処理シーケンス編集装置。
【請求項１５】
複数の画像を記憶する画像記憶手段と、
その画像記憶手段に記憶された複数の画像を所定の順序で表示する素材表示手段と、
前記処理選択手段により処理アイコンが選択されること応じて、前記素材表示手段により表示されている複数の画像の中から前記素材表示手段により表示されている順序に応じて選択する素材選択手段とを備え、
前記画像処理手段は、前記素材選択手段により選択された画像に、前記処理選択手段により選択された処理アイコンに対応する画像処理を行うものであることを特徴とする請求項１２から１４のいずれかに記載の処理シーケンス編集装置。
【請求項１６】
複数の画像を記憶する画像記憶手段と、画像処理の種類に対応する複数の処理アイコンを表示する処理表示手段と、その処理表示手段によりに表示された複数の処理アイコンの中から所望の処理アイコンを選択する処理選択手段と、その処理選択手段により選択された処理アイコンに対応する画像処理を行う画像処理手段とを備えた処理シーケンス編集装置において、
前記画像記憶手段に記憶された複数の画像を所定の順序で表示する素材表示手段と、
前記処理選択手段により処理アイコンが選択されることに応じて、前記素材表示手段により表示されている複数の画像の中から前記素材表示手段により表示されている順序に応じて画像を選択する素材選択手段とを備え、
前記画像処理手段は、前記素材選択手段により選択された画像に、前記処理選択手段により選択された処理アイコンに対応する画像処理を行うものであることを特徴とする処理シーケンス編集装置。
【請求項１７】
前記処理アイコンに対応する画像処理により処理される画像の数を処理アイコン毎に記憶する素材数記憶手段を備え、
前記素材選択手段は、前記処理選択手段により選択された処理アイコンに対応して前記素材数記憶手段に記憶されている画像の数に応じて画像を選択するものであることを特徴とする請求項１５または１６に記載の処理シーケンス編集装置。
【請求項１８】
前記処理選択手段により選択された処理アイコンを前記表示手段により表示された時間軸上に表示するとともに、前記素材選択手段により選択された画像に対応する素材アイコンを、処理アイコンに続く時間軸上に表示するトラック表示手段を備えていることを特徴とする請求項１５から１７のいずれかに記載の処理シーケンス編集装置。
【請求項１９】
前記素材選択手段は、前記処理選択手段により選択された今回の画像処理の直前に設定された画像処理において最後に処理される画像に応じて、今回設定された画像処理において処理される画像を選択することを特徴とする請求項１５から１８のいずれかに記載の処理シーケンス編集装置。
【請求項２０】
前記トラック表示手段により表示されている素材アイコンに対応し、その素材アイコンの前記素材表示手段により表示されている表示順を記憶する表示順記憶手段と、
前記素材表示手段により表示されている各画像に対応し、前記画像記憶手段に記憶されている画像の記憶位置を記憶する画像アドレス記憶手段と、
前記画像記憶手段に記憶された任意の画像を前記素材表示手段により表示されるように設定する素材画像設定手段と、
その素材画像設定手段により前記画像記憶手段に記憶された画像を前記素材表示手段により表示されるように設定された場合は、前記画像アドレス記憶手段により記憶された前記画像記憶手段に記憶された画像の記憶位置を変更する画像アドレス変更手段とを備えていることを特徴とする請求項１８または１９に記載の処理シーケンス編集装置。
【請求項２１】
前記素材画像設定手段により前記画像記憶手段に記憶された画像を前記素材表示手段により表示されるように設定された場合は、前記トラック表示手段により表示されている素材アイコンを前記画像アドレス記憶手段により記憶した、前記画像記憶手段に記憶された画像に対応する素材アイコンに変更するトラック表示変更手段を備えていることを特徴とする請求項２０記載の処理シーケンス編集装置。
【請求項２２】
前記素材画像設定手段は、前記画像記憶手段に記憶された複数の画像を同時に前記素材表示手段により表示されるように設定するものであることを特徴とする請求項２０または２１記載の処理シーケンス編集装置。
【発明の詳細な説明】
【技術分野】
【０００１】
本発明は、処理を示すアイコンを時間軸上に配置することにより画像を編集する処理シーケンス編集プログラムおよび処理シーケンス編集装置に関する。
【背景技術】
【０００２】
表示画面に表示された時間軸上に、まず、最初に表示する画像を設定し、次にその画像の次に表示する画像を設定し、次にこれらの二つの画像を切り替えるなどの効果処理の種類を示す処理アイコンを配置することにより、画像を編集するシーケンスを作成し、そのシーケンスに従って画像を編集する処理シーケンス編集プログラムが知られている。
【０００３】
特許第３３９０９７９号公報（特許文献１）には、コンピュータ画面において、素材とする画像の画面と、その画像を処理する効果の種類を示すアイコンとをそれぞれのトラックに表示し、その表示された画面を設定、または修正することにより画像を編集する画像編集装置および画像編集方法が開示されている。
【特許文献１】特許第３３９０９７９号公報
【発明の開示】
【発明が解決しようとする課題】
【０００４】
上記特許文献１に開示された処理シーケンス編集装置では、まず、編集を行う素材とする第１および第２の画像を指定し、次にその２つの指定した画像間の処理（効果）の種類を指定する必要があり、これらの指定は、面倒なものであった。また、素材とする画像に係わらず、画像に付与する処理の種類を時間的に変化するように設定することは従来行われていなかった。また、３以上の素材に対して処理を行うように設定することは、困難であり、また、その設定は、複雑で手間のかかるものであった。
【０００５】
本発明は、上記問題点を解決するためになされたもので、簡単な操作により画像を処理する処理シーケンスを作成することができる処理シーケンス編集プログラムおよび処理シーケンス編集装置を提供することを目的とする。
【課題を解決するための手段】
【０００６】
上記の目的を達成するために、本発明の請求項１記載の処理シーケンス編集プログラムは、画像処理の種類に対応する複数の処理アイコンを表示する処理表示ステップと、その処理表示ステップにより表示された複数の処理アイコンの中から所望の処理アイコンを選択する処理選択ステップと、その処理選択ステップにより選択された処理アイコンに対応する画像処理を行う画像処理ステップとを備えたものであって、前記処理選択ステップにより選択された第１の処理アイコンを時間軸上の第１の時刻に設定することにより、第１の処理アイコンに対応する第１の画像処理の開始時刻を第１の時刻に設定し、前記処理選択ステップにより選択された第２の処理アイコンを時間軸上の第１の時刻より後の第２の時刻に設定することにより、第２の処理アイコンに対応する第２の画像処理の開始時刻を第２の時刻に設定する処理開始時刻設定ステップを備え、前記画像処理ステップは、前記処理開始時刻設定ステップにより設定された第１の時刻から開始し、前記処理開始時刻設定ステップにより設定された第２の時刻に終了するとともに第１の画像処理を終了した後第２の画像処理を開始するものである
請求項２記載の処理シーケンス編集プログラムは、請求項１記載の処理シーケンス編集プログラムにおいて、複数の画像処理が設定された一連の処理の開始から終了までのシーケンス時間を変更するシーケンス時間変更ステップと、前記第１の時刻と前記第２の時刻との間のクリップ時間を、前記シーケンス時間変更ステップにより変更される前のシーケンス時間と変更された後のシーケンス時間との比に応じて変更するクリップ時間変更ステップとを備えている。
【０００７】
請求項３記載の処理シーケンス編集プログラムは、請求項２記載の処理シーケンス編集プログラムにおいて、前記処理選択ステップにより選択された第１の処理アイコンに対応する第１の画像処理は、所定の画像処理を繰り返し行うものであって、その繰り返し時間を表すループ時間を前記シーケンス時間変更ステップにより変更される前のシーケンス時間と変更された後のシーケンス時間との比に応じて変更するループ時間変更ステップとを備えている。
【０００８】
請求項４記載の処理シーケンス編集プログラムは、請求項１から３のいずれかに記載の処理シーケンス編集プログラムにおいて、複数の画像を記憶する画像記憶手段と画像を表示する表示手段とを備えた処理シーケンス編集装置において実行されるものであって、前記画像記憶手段に記憶された複数の画像を所定の順序で前記表示手段に表示する素材表示ステップと、前記処理選択ステップにより処理アイコンが選択されることに応じて、前記素材表示ステップにより表示されている複数の画像の中から前記素材表示ステップにより表示されている順序に応じて選択する素材選択ステップとを備え、前記画像処理ステップは、前記素材選択ステップにより選択された画像を、前記処理選択ステップにより選択された処理アイコンに対応する画像処理を行うものである。
【０００９】
請求項５記載の処理シーケンス編集プログラムは、複数の画像を記憶する画像記憶手段と画像を表示する表示手段とを備えた処理シーケンス編集装置において実行されるものであって、画像処理の種類に対応する複数の処理アイコンを前記表示手段に表示する処理表示ステップと、その処理表示ステップによりに表示された複数の処理アイコンの中から所望の処理アイコンを選択する処理選択ステップと、その処理選択ステップにより選択された処理アイコンに対応する画像処理を行う画像処理ステップと、前記画像記憶手段に記憶された複数の画像を所定の順序で表示する素材表示ステップと、前記処理選択ステップにより処理アイコンが選択されることに応じて、前記素材表示ステップにより表示されている複数の画像の中から前記素材表示ステップにより表示されている順序に応じて画像を選択する素材選択ステップとを備え、前記画像処理ステップは、前記素材選択ステップにより選択された画像に、前記処理選択ステップにより選択された処理アイコンに対応する画像処理を行うものである。
【００１０】
請求項６記載の処理シーケンス編集プログラムは、請求項４または５記載の処理シーケンス編集プログラムにおいて、処理シーケンス編集装置は、処理アイコンに対応する画像処理により処理される画像の数を処理アイコン毎に記憶する素材数記憶手段を備え、前記素材選択ステップは、前記素材数記憶手段に記憶されている画像の数に応じて画像処理により処理される画像を選択するものである。
【００１１】
請求項７記載の処理シーケンス編集プログラムは、請求項４から６のいずれかに記載の処理シーケンス編集プログラムにおいて、前記処理選択ステップにより選択された処理に対応する処理アイコンを時間軸上に表示するとともに、前記素材選択ステップにより設定された画像に対応する素材アイコンを、処理アイコンに続く時間軸上に表示するトラック表示ステップを備えている。
【００１２】
請求項８記載の処理シーケンス編集プログラムは、請求項４から７のいずれかに記載の処理シーケンス編集プログラムにおいて、前記素材選択ステップは、前記処理選択ステップにより選択された今回の画像処理の直前に設定された画像処理において最後に処理される画像に応じて、今回設定された画像処理により処理される画像を選択するものである。
【００１３】
請求項９記載の処理シーケンス編集プログラムは、請求項７または８記載の処理シーケンス編集プログラムにおいて、前記トラック表示ステップにより表示されている素材アイコンに対応し、その素材アイコンの前記素材表示ステップにより表示されている表示順を記憶する表示順記憶ステップと、前記素材表示ステップにより表示されている各画像に対応し、前記画像記憶手段に記憶されている画像の記憶位置を記憶する画像アドレス記憶ステップと、前記画像記憶手段に記憶された任意の画像を前記素材表示ステップにより表示されるように設定する素材画像設定ステップと、その素材画像設定ステップにより、前記画像記憶手段に記憶された画像を前記素材表示ステップにより表示されるように設定された場合は、前記画像アドレス記憶ステップにより記憶された前記画像記憶手段に記憶された画像の記憶位置を変更する画像アドレス変更ステップとを備えている。
【００１４】
請求項１０記載の処理シーケンス編集プログラムは、請求項９記載の処理シーケンス編集プログラムにおいて、前記素材画像設定ステップにより、前記画像記憶手段に記憶された画像を前記素材表示ステップにより表示されるように設定された場合は、前記トラック表示ステップにより表示されている素材アイコンを前記画像アドレス記憶ステップにより記憶した、前記画像記憶手段に記憶された画像に対応する素材アイコンに変更するトラック表示変更ステップを備えている。
【００１５】
請求項１１記載の処理シーケンス編集プログラムは、請求項９または１０記載の処理シーケンス編集プログラムにおいて、前記素材画像設定ステップは、前記画像記憶手段に記憶された複数の画像を同時に前記素材表示ステップにより表示されるように設定するものである。
【００１６】
請求項１２記載の処理シーケンス編集装置は、画像処理の種類に対応する複数の処理アイコンを表示する処理表示手段と、その処理表示手段により表示された複数の処理アイコンの中から所望の処理アイコンを選択する処理選択手段と、その処理選択手段により選択された処理アイコンに対応する画像処理を行う画像処理手段とを有するものであって、前記処理選択手段により選択された第１の処理アイコンを時間軸上の第１の時刻に設定することにより、第１の処理アイコンに対応する第１の画像処理の開始時刻を第１の時刻に設定し、前記処理選択手段により選択された第２の処理アイコンを時間軸上の第１の時刻より後の第２の時刻に設定することにより、第２の処理アイコンに対応する第２の画像処理の開始時刻を第２の時刻に設定する処理開始時刻設定手段を備え、前記画像処理手段は、第１の画像処理を前記処理開始時刻設定手段により設定された第１の時刻から開始し、前記処理開始時刻設定手段により設定された第２の時刻に終了するとともに第１の画像処理を終了した後第２の画像処理を開始するものである。
【００１７】
請求項１３記載の処理シーケンス編集装置は、請求項１２記載の処理シーケンス編集装置において、複数の画像処理が設定された一連の処理の開始から終了までのシーケンス時間を変更するシーケンス時間変更手段と、前記第１の時刻と前記第２の時刻との間のクリップ時間を、前記シーケンス時間変更手段により変更される前のシーケンス時間と変更された後のシーケンス時間との比に応じて変更するクリップ時間変更手段とを備えている。
【００１８】
請求項１４記載の処理シーケンス編集装置は、請求項１３記載の処理シーケンス編集装置において、前記処理選択手段により選択された第１の処理アイコンに対応する第１の画像処理は、所定の画像処理を繰り返し行うものであって、その繰り返し時間を表すループ時間を前記シーケンス時間変更手段により変更される前のシーケンス時間と変更された後のシーケンス時間との比に応じて変更するループ時間変更手段とを備えている。
【００１９】
請求項１５記載の処理シーケンス編集装置は、請求項１２から１４のいずれかに記載の処理シーケンス編集装置において、複数の画像を記憶する画像記憶手段と、その画像記憶手段に記憶された複数の画像を所定の順序で表示する素材表示手段と、前記処理選択手段により処理アイコンが選択されることに応じて、前記素材表示手段により表示されている複数の画像の中から前記素材表示手段により表示されている順序に応じて選択する素材選択手段とを備え、前記画像処理手段は、前記素材選択手段により選択された画像を、前記処理選択手段により選択された処理アイコンに対応する画像処理を行うものである。
【００２０】
請求項１６記載の処理シーケンス編集装置は、 複数の画像を記憶する画像記憶手段と、画像処理の種類に対応する複数の処理アイコンを表示する処理表示手段と、その処理表示手段によりに表示された複数の処理アイコンの中から所望の処理アイコンを選択する処理選択手段と、その処理選択手段により選択された処理アイコンに対応する画像処理を行う画像処理手段とを備えたものであって、記憶手段に記憶された複数の画像を所定の順序で表示する素材表示手段と、前記処理選択手段によりに処理アイコンが選択されることに応じて、前記素材表示手段により表示されている複数の画像の中から前記素材表示手段により表示されている順序に応じて画像を選択する素材選択手段とを備え、前記画像処理手段は、前記素材選択手段により選択された画像を、前記処理選択手段により選択された処理アイコンに対応する画像処理を行うものである。
【００２１】
請求項１７記載の処理シーケンス編集装置は、請求項１５または１６記載の処理シーケンス編集装置において、処理アイコンに対応し、画像処理により処理される画像の数を記憶する素材数記憶手段を備え、前記素材選択手段は、前記処理選択手段により選択された処理アイコンに対応して前記素材数記憶手段に記憶されている画像の数に応じて画像を選択するものである。
【００２２】
請求項１８記載の処理シーケンス編集装置は、請求項１５から１７のいずれかに記載の処理シーケンス編集装置において、前記処理選択手段により選択された処理に対応する処理アイコンを時間軸上に表示するとともに、前記素材選択手段により選択された画像に対応する素材アイコンを、処理アイコンに続く時間軸上に表示するトラック表示手段を備えている。
【００２３】
請求項１９記載の処理シーケンス編集装置は、請求項１５から１８のいずれかに記載の処理シーケンス編集装置において、前記素材選択手段は、前記処理選択手段により選択された今回の画像処理の直前に設定された画像処理において最後に処理される画像に応じて、今回設定された画像処理において処理される画像を選択するものである。
【００２４】
請求項２０記載の処理シーケンス編集装置は、請求項１８または１９記載の処理シーケンス編集装置において、前記トラック表示手段により表示されている素材アイコンに対応し、その素材アイコンの前記素材表示手段により表示されている表示順を記憶する表示順記憶手段と、前記素材表示手段により表示されている各画像に対応し、前記画像記憶手段に記憶されている画像の記憶位置を記憶する画像アドレス記憶手段と、前記画像記憶手段に記憶された任意の画像を前記素材表示手段により表示されるように設定する素材画像設定手段と、その素材画像設定手段により、前記画像記憶手段に記憶された画像を前記素材表示手段により表示されるように設定された場合は、前記画像アドレス記憶手段に記憶される画像の記憶位置を変更する画像アドレス変更手段とを備えている。
【００２５】
請求項２１記載の処理シーケンス編集装置は、請求項２０記載の処理シーケンス編集装置において、前記素材画像設定手段により前記画像記憶手段に記憶された画像を前記素材表示ステップにより表示されるように設定された場合は、前記トラック表示手段により表示されている素材アイコンを前記画像アドレス記憶手段により記憶した、前記画像記憶手段に記憶された画像に対応する素材アイコンに変更するトラック表示変更手段を備えている。
【００２６】
請求項２２記載の処理シーケンス編集装置は、請求項２０または２１記載の処理シーケンス編集装置において、前記素材画像設定手段は、前記画像記憶手段に記憶された複数の画像を同時に前記素材表示手段により表示されるように設定するものである。
【発明の効果】
【００２７】
請求項１記載の処理シーケンス編集プログラムまたは請求項１２記載の処理シーケンス編集装置によれば、処理表示ステップまたは処理表示手段により画像処理の種類に対応する複数の処理アイコンが表示され、その表示された複数の処理アイコンの中から所望の処理アイコンを選択して第１の処理アイコンを時間軸上の第１の時刻に設定すると、第１の画像処理の開始時刻が第１の時刻に設定され、第２の処理アイコンを時間軸上の第１の時刻より後の第２の時刻に設定することにより、第２の画像処理の開始時刻が第２の時刻に設定される。このことにより第１の画像処理は、第１の時刻から開始され、第２の時刻に終了するとともに第１の画像処理を終了した後第２の画像処理が開始される。よって、従来のように素材アイコンを設定することなく、複数の処理アイコンを時間軸上に設定する
ことにより処理シーケンスを作成することができる。したがって、簡単な操作により画像を処理する処理シーケンスを作成することができるという効果がある。
【００２８】
請求項２記載の処理シーケンス編集プログラムまたは請求項１３記載の処理シーケンス編集装置によれば、請求項１記載の処理シーケンス編集プログラムまたは請求項１２記載の処理シーケンス編集装置の奏する効果に加え、シーケンス時間変更ステップまたはシーメンス時間変更手段により複数の画像処理が設定された一連の処理の開始から終了までのシーケンス時間が変更されると、クリップ時間変更ステップまたはクリップ時間変更手段により第１の時刻と第２の時刻との間のクリップ時間は、変更される前のシーケンス時間と変更された後のシーケンス時間との比に応じて変更される。よって、シーケンス時間が短くなるように変更された場合に、特定のクリップだけが短くなったり、またシーケンス時間が長くなるように変更された場合に、特定のクリップだけが長くなるなどの不自然な設定ではなく、各クリップが均等に変更されるので、それぞれのクリップが自然な長さになるように編集することができるという効果がある。
【００２９】
請求項３記載の処理シーケンス編集プログラムまたは請求項１４記載の処理シーケンス編集装置によれば、請求項２記載の処理シーケンス編集プログラムまたは請求項１３記載の処理シーケンス編集装置の奏する効果に加え、処理選択ステップまたは処理選択手段により選択された第１の処理アイコンに対応する第１の画像処理は、所定の画像処理を繰り返し行うものであって、その繰り返し時間を表すループ時間は、ループ時間変更ステップまたはループ時間変更手段によりシーケンス時間変更ステップまたはシーケンス時間変更手段により変更される前のシーケンス時間と変更された後のシーケンス時間との比に応じて変更される。よって、シーケンス時間が短くなるように変更された場合に、クリップ時間内で繰り返される処理の回数が少なくなったり、またシーケンス時間が長くなるように変更された場合に、繰り返される処理の回数が多くなるなどの不自然な設定ではなく、繰り返される回数が同一に保たれるので、自然な処理の繰り返しが行われるように編集することができるという効果がある。
【００３０】
請求項４記載の処理シーケンス編集プログラムまたは請求項１５記載の処理シーケンス編集装置によれば、請求項１から３のいずれかに記載の処理シーケンス編集プログラムまたは、請求項１２から１４のいずれかに記載の処理シーケンス編集装置の奏する効果に加え、素材表示ステップまたは素材表示手段により画像記憶手段に記憶された複数の画像は、所定の順序で表示手段に表示され、処理選択ステップまたは処理選択手段により処理アイコンが選択されることにより、素材表示ステップまたは素材表示手段により表示されている複数の画像の中から素材表示ステップまたは素材表示手段により表示されている順序に応じて素材選択ステップまたは素材選択手段により画像が選択され、画像処理ステップまたは画像処理手段により、素材選択ステップまたは素材選択手段により選択された画像は、処理選択ステップまたは処理選択手段により選択された処理アイコンに対応する画像処理される。よって、処理アイコンを選択するだけで、画像が選択されるので、従来のように、素材と処理の種類との両方を選択するという操作に比べ、簡単な操作で処理シーケンスを作成することができるという効果がある。
【００３１】
請求項５記載の処理シーケンス編集プログラムまたは請求項１６記載の処理シーケンス編集装置によれば、素材表示ステップまたは素材表示手段により画像記憶手段に記憶された複数の画像が所定の順序で表示され、処理選択ステップまたは処理選択手段により処理アイコンが選択されることにより、素材表示ステップまたは素材表示手段により表示されている複数の画像の中から素材表示ステップまたは素材表示手段により表示されている順序に応じて素材選択ステップまたは素材選択手段により画像が選択され、画像処理ステップまたは画像処理手段により、素材選択ステップまたは素材選択手段により選択された画像は、処理選択ステップまたは処理選択手段により選択された処理アイコンに対応する画像処理される。よって、処理アイコンを選択するだけで、画像が選択されるので、従来のように、素材と処理の種類との両方を選択するという操作に比べ、簡単な操作で処理シーケンスを作成することができるという効果がある。
【００３２】
請求項６記載の処理シーケンス編集プログラムまたは請求項１７記載の処理シーケンス編集装置によれば、請求項４または５記載の処理シーケンス編集プログラムまたは請求項１５または１６記載の処理シーケンス編集装置の奏する効果に加え、処理アイコンに対応する画像処理により処理される画像の数が素材数記憶手段に記憶され、素材選択ステップまたは素材選択手段により、素材数記憶手段に記憶されている画像の数に応じて画像処理により処理される画像が選択されるので、選択された処理アイコンに対応する処理に使用される数の画像を一つづつ選択する必要がなく、処理アイコンを選択するという簡単な操作により処理される数の画像を選択することができるという効果がある。
【００３３】
請求項７記載の処理シーケンス編集プログラムまたは請求項１８記載の処理シーケンス編集装置によれば、請求項４から６のいずれかに記載の処理シーケンス編集プログラムまたは請求項１５から１７のいずれかに記載の処理シーケンス編集装置の奏する効果に加え、トラック表示ステップまたはトラック表示手段により、処理選択ステップまた処理選択手段により選択された処理に対応する処理アイコンが時間軸上に表示され、素材選択ステップまたは素材選択手段により選択された画像に対応する素材アイコンが、処理アイコンに続く時間軸上に表示されるので、処理アイコンに対応して選択された画像を画像を示す素材アイコンにより視覚的に確認することができるという効果がある。
【００３４】
請求項８記載の処理シーケンス編集プログラムまたは請求項１９記載の処理シーケンス編集装置によれば、請求項４から７のいずれかに記載の処理シーケンス編集プログラムまたは請求項１５から１８のいずれかに記載の処理シーケンス編集装置の奏する効果に加え、素材選択ステップまたは素材選択手段は、処理選択ステップまたは処理選択手段により選択された今回の画像処理の直前に設定された画像処理において最後に処理される画像に応じて、今回設定された画像処理により処理される画像が選択されるので、続いて行われる処理の素材がいきなり変わることがなく、自然な画像の変化を形成することができるという効果がある。
【００３５】
請求項９記載の処理シーケンス編集プログラムまたは請求項２０記載の処理シーケンス編集装置によれば、請求項７または８記載の処理シーケンス編集プログラム、または請求項１８または１９記載の処理シーケンス編集装置の奏する効果に加え、トラックに表示されている素材アイコンに対応し、その素材アイコンのにより表示されている表示順が表示順記憶ステップまたは表示順記憶手段により記憶され、素材表示ステップまたは素材表示手段により表示されている各画像に対応し、画像記憶手段に記憶されている画像の記憶位置が画像アドレス記憶ステップまたは画像アドレス記憶手段に記憶され、素材画像設定ステップまたは素材画像設定手段により画像記憶手段に記憶された任意の画像を素材表示ステップまたは素材表示手段により表示されるように設定され、その素材画像設定ステップにより画像記憶手段に記憶された画像が素材表示ステップまたは素材表示手段により表示されるように設定された場合は、画像アドレス変更ステップまたは画像アドレス変更手段により画像アドレス記憶ステップまたはアドレス記憶手段により画像記憶手段に記憶された画像の記憶位置が変更される。よって、素材表示ステップまたは素材表示手段により表示されている画像を入れ替えることにより、シーケンスに設定されている素材アイコンの画像を変更することができる。したがって、トラックに表示された複数の処理において同一の画像が処理されるように設定されていて、これらの画像を別の同一の画像に変更する場合に、それぞれのトラックに表示された処理に対応する画像をそれぞれ変更するのに比べ、素材表示ステップまたは素材表示手段により表示される画像を変更するだけで一度に変更できる。よって素材を簡単に変更できるという効果がある。
【００３６】
請求項１０記載の処理シーケンス編集プログラムまたは請求項２１記載の処理シーケンス編集装置によれば、請求項９記載の処理シーケンス編集プログラムまたは請求項２０記載の処理シーケンス編集装置の奏する効果に加え、トラック表示変更ステップまたはトラック表示変更手段は、素材画像設定ステップまたは素材画像設定手段により画像記憶手段に記憶された画像を素材表示ステップまたは素材表示手段により表示されるように設定された場合は、トラック表示ステップまたはトラック表示手段により表示されている素材アイコンを画像アドレス記憶ステップまたは画像アドレス記憶手段により記憶した、画像記憶手段に記憶された画像に対応する素材アイコンに変更するので、トラック上に表示されている素材アイコンが変更されたことを認識することができるという効果がある。
【００３７】
請求項１１記載の処理シーケンス編集プログラムまたは請求項２２記載の処理シーケンス編集装置によれば、請求項９または１０記載の処理シーケンス編集プログラムまたは請求項２０または２１記載の処理シーケンス編集装置の奏する効果に加え、素材画像設定ステップまたは素材画像設定手段は、画像記憶手段に記憶された複数の画像を同時に素材表示ステップまたは素材表示手段により表示されるように設定するものであるので、シーケンスに設定されている複数の画像を同時に複数の画像に変更することができるという効果がある。
【発明を実施するための最良の形態】
【００３８】
以下、本発明の好ましい実施例について、添付図面を参照して説明する。図１は、本発明の実施例における処理シーケンス編集装置１の電気的構成を示すブロック図である。
【００３９】
この処理シーケンス編集装置１は、ＣＰＵ１１と、ＣＰＵ１１が実行する制御プログラムや各種データなどを記憶する読出し専用のメモリであるＲＯＭ１２と、ＣＰＵ１１が制御プログラムを実行する際に、その制御プログラムを記憶し、各種データを一時記憶するレジスタ群などを設定したワークエリアを有するＲＡＭ１３と、ユーザが画像の編集を行う際に画像処理の種類を示す処理アイコンなどをドラッグしたり、各種パラメータを設定するマウスなどの操作子１４と、画像データなどを記憶するハードディスク（ＨＤＤ）１５と、デジタルカメラが記憶している静止画データを入力するＵＳＢインターフェース１６と、動画データをビデオカメラやビデオレコーダーなどの外部機器と入出力するビデオ信号インターフェース１７と、外部メディアを着脱自在に装着する外部メディアスロット１８と、画像データの表示や編集画面が表示される液晶モニタなどの表示器２０およびビデオＲＡＭを有する表示回路１９とを主に備えている。
【００４０】
ＣＰＵ１１は、いわゆるマイクロプロセッサであり、ＲＯＭ１２に記憶されている制御プログラムおよびハードディスク１５に記憶されているＯＳ（オペレーティングシステム）に従って各種アプリケーションプログラムを実行するものである。
【００４１】
ＲＡＭ１３は、いくつかの画像処理を行う順序を設定してシーケンスデータ１３ｄを作成するための処理シーケンス編集プログラム１３ａと、処理パレット表１３ｂ、素材パレット表１３ｃおよび作成されるシーケンスデータ１３ｄとが記憶される。
【００４２】
処理シーケンス編集プログラム１３ａは、ハードディスク１５に記憶され、シーケンスデータ１３ｄを作成する際にＲＡＭ１３に転送される制御プログラムである。この処理シーケンス編集プログラム１３ａは、表示器２０に編集を行うための編集画面を表示し、その画面における設定に従って、シーケンスデータ１３ｄが作成される。編集画面は、図２に示すように、複数の処理の中から所望の処理を選択するための複数の処理を表す処理アイコンを表示する処理パレット２２と、その選択された処理により処理される素材を設定するために素材を表す複数の素材アイコンを表示する素材パレット２３と、選択された処理アイコンを順次時間軸上に配置することによりシーケンスを作成するトラック３２，３３と、各種パラメータを表示あるいは設定するためのアイコンや表示窓などを有する。
【００４３】
処理シーケンス編集プログラム１３ａには、シーケンスを作成するためのプログラムと、各種画像に効果などを付与する処理プログラム１５ａが記憶されている。画像に付与する効果は、例えば、画像が単一である場合には、画像に細かいモザイクを施し、次第にモザイクの大きさが大きくなって、やがてモザイクが消えるような効果や、カラー画像が、徐々にモノクロに変化する効果などがある。また、二つの画像を切り替える場合の効果には、種々のワイプやディゾルブやクロマキーなどの効果がある。
【００４４】
処理パレット表１３ｂは、画像に対して行う効果付与などの各種処理に対応して、その処理を表すアイコンと、その処理に設定された処理に要する時間と、その処理により処理される画像の数と、その処理を行うプログラムが記憶されているアドレスと、その処理に設定されているパラメータなどが記憶されている（図７（ａ）参照）。
【００４５】
素材パレット表１３ｃは、ハードディスク１５に素材データ１５ｂとして記憶されている多数の素材の中から、シーケンスを作成する素材として選択されたものを記憶する領域であり、素材パレット２３に表示される順序と、画像の番号と、その画像が記憶されているハードディスク１５のアドレスとが各素材アイコンに対応して記憶されている（図７（ｂ）参照）。なお、画像のアイコンは、静止画の場合は、その静止画のサイズを縮小したものであり、動画の場合は、動画の一コマを縮小した画像が記憶されている。
【００４６】
シーケンスデータ１３ｄは、編集画面にトラックとして表示された時間軸上に処理アイコンが配置されることにより、配置された時刻にその処理を行うように記憶されるものである。処理アイコンが選択され、トラック上に配置されることにより、処理される画像が素材パレット２３に表示されている順序にしたがって選択される。
【００４７】
ハードディスク１５には、アプリケーションプログラムである各種画像や音を処理する処理プログラム１５ａと、静止画データや動画データなどの画像データ、サウンドデータや自動演奏データなどの素材データ１５ｂと、プロジェクトデータ１５ｃとが記憶されている。
【００４８】
処理プログラム１５ａとしては、上述の処理シーケンス編集プログラム１３ａの他に、サウンドや自動演奏を編集するプログラムや、形成された音声に音響効果を付与するプログラムなどが記憶されている。
【００４９】
素材データ１５ｂは、静止画像、動画像、タイトルなどのロゴ、テロップなどのテキストデータ、音楽や効果音などのサウンドデータや、自動演奏を行う自動演奏データなどである。これらの素材データ１５ｂは、ジャンルやグループに分類されて、フォルダ内に収容されて、記憶されている。
【００５０】
プロジェクトデータ１５ｃは、ＲＡＭ１３に記憶された素材パレット表１３ｃとシーケンスデータ１３ｄを一つの作品としたものである。
【００５１】
ＵＳＢインターフェース１６は、ＵＳＢ（Universal Serial Bus）規格のインターフェースで、デジタルカメラの画像データの転送などに使用される。ビデオ信号インターフェース１６は、ビデオ信号の入出力を行うインターフェースで、テレビ放送で用いられる、アナログやデジタルのコンポジットあるいはＲＧＢ信号を入出力するもので、デジタル伝送方式としてはＩＥＥＥ１３９４などがその代表である。
【００５２】
外部メディアスロット１８は、コンパクトディスク（登録商標）などの外部メディアを装着し、外部メディアに記憶されている画像データを入力することができるものである。
【００５３】
表示回路１９は、ビデオＲＡＭとそのビデオＲＡＭに記憶した表示データを表示器２０に送信することにより画像を表示するように制御するものであり、表示器２０は、液晶などにより構成される大画面の表示器である。
【００５４】
次に、図２を参照して、シーケンスを作成する編集画面について説明する。図２は、表示器２０に表示される編集画面を示すもので、左上には、プレビュー画面２１と、中央上部には、処理の種類を示す処理アイコン（Ａ−１、Ａ−２、・・・）を複数表示する処理パレット２２と、右上には、素材である静止画や動画をそれぞれ示す素材アイコン（Ｂ−１、Ｂ−２・・・）を複数表示する素材パレット２３が表示されている。
【００５５】
プレビュー画面２１は、編集されたシーケンスに従って画像を再生し表示する領域である。この画面に表示される画面の変化と、下方に表示されるトラックの現在位置とから、画面とシーケンスの設定状態とを対比することができる。このプレビュー画面２１の下方には、フルスクリーン表示アイコン６４が表示されている。このフルスクリーン表示アイコン６４をマウスでクリックすることにより、トグル動作でオンまたはオフに設定することができ、オンに設定されている場合には、アイコン中に○が表示され、オフに設定されている場合には、アイコン中に何も表示されない。
【００５６】
このフルスクリーン表示アイコン６４がオンに設定されている場合に、再生開始アイコン２７が操作されて再生の開始が指示された場合は、再生される画像は画面いっぱいに表示され、再生が停止されると編集画面の表示に戻る。
【００５７】
処理パレット２２は、効果などの画像の処理の種類に対応する処理アイコンが多数表示され、この処理アイコンの一つをマウスでトラック上にドラッグすることにより、一連のシーケンスにおいて、処理を実行する時間を設定することができる。
【００５８】
素材パレット２３には、デジタルカメラなどにより撮影された画像データを示すアイコン（画像を小さく表示している）を多数表示し、処理パレット２２から処理アイコンがトラック上に設定された場合は、その処理に対応して記憶されている処理される画像データ数（素材数）に応じて、素材パレット２３に表示するように記憶されている順序で選択される。
【００５９】
素材パレット２３の下方に示されているロードアイコン７２は、ハードディスク１５に記憶されている素材データ１５ｂからこの素材パレット２３に表示するように指示するアイコンであって、素材パレット２３に表示されているいずれのアイコンを指定しないでロードアイコン７２をクリックすると、ダイアログが開き、そのダイアログに、素材データ１５ｂに記憶されている画像を記録した複数のフォルダが表示される。この表示された複数のフォルダの一つを選択すると、素材パレット２３に表示されているすべてのアイコンは、フォルダに記憶されている画像のアイコンに入れ替えられる。
【００６０】
素材パレット２３に表示されているアイコンの一つを入れ替えたい場合には、その画像のアイコンをマウスでダブルクリックする。この操作により、ダイアログが開き、素材データ１５ｂに記憶されている画像のフォルダが表示され、さらにフォルダを開くと画像のリストが表示されるので、そのリストの中の一つを選択することによりダブルクリックされた画像を置き換えることができる。
【００６１】
素材パレット２３に表示されているアイコンのうち、消去したいアイコンがあれば、まず、マウスでそのアイコンをクリックし、つぎにクリアアイコン７３をクリックすることにより、そのアイコンを素材パレット２３から消去することができる。消去すると、そのアイコンの区画には空白が表示される。
【００６２】
処理パレット２２および素材パレット２３には、右端にスクロールバー３９、４０がそれぞれ表示され、このスクロールバー３９、４０をマウスで操作することにより、表示器に表示されている処理アイコンまたは素材となる画像データを示すアイコンをスクロールして表示することができる。
【００６３】
編集画面の下方には、時間軸３７と、バックトラック３２と、フロントトラック３３と、サウンドトラック３４とが表示されている。時間軸３７は、バックトラック３２、フロントトラック３３、サウンドトラック３４に共通の時間軸を表すもので、時間の単位を最初の２桁で分を表し、次の２桁で秒を表す。編集画面に表示される時間軸３７の時間は、時間を拡大または縮小を設定するアイコン７４、７５、７６（後述）とサウンドトラックの下方に表示されているスクロールバー３８の設定により変更することができる。図２では、編集画面に３０秒間の時間軸３７が表示されている。
【００６４】
各トラックは、トラック上に処理アイコンなどを設置することにより、その設置された時刻に設置されたアイコンが示す処理を開始することなどを設定するものである。このトラック上で設定された情報が、シーケンスデータ１３ｄとして記憶される。
【００６５】
バックトラック３２は、先頭に処理アイコンＡ−８が配置され、続いて素材アイコンＢ−１とＢ−２が表示されている。この場合には、画像処理Ａ−８は、２つの画像データＢ−１とＢ−２とに対して処理を行うことを示している。Ａ−８の画像処理の次に、処理アイコンＡ−４６が表示され、続いてＢ−２、Ｂ−３、Ｂ−４の３つの画像データが表示されている。この場合には、画像処理Ａ−４６は、３つの画像データＢ−２、Ｂ−３、Ｂ−４に対して処理を行うものである。
【００６６】
処理アイコンがトラック上に設定されると、その処理アイコンにより特定される処理により処理される素材となる画像データが設定され、トラック上の処理アイコンに続いて表示される。一方、この素材を変更する場合には、所望の素材アイコンをマウスにより変更したい素材アイコンまでドラッグすることにより変更される。
【００６７】
なお、素材となる画像データは、フロント表示用のグループと、バック表示用グループと、テキストグループなどに分類されて記憶されている。フロントとは、バックに優先して、バック（背景）として表示されている画像の上に表示される画像である。
【００６８】
フロントトラック３３には、フロント表示用として記憶されている画像データが設定され、バックトラック３２には、バック表示用として記憶された画像データが設定される。また、サウンドトラック３４には、音声や音楽が画像と同様にして設定される。
【００６９】
これらのトラック毎の設定を行うには、処理パレット２２および素材パレット２３の上部に示されるそれぞれのタブ６３をクリックする。いずれかのタブをクリックすると、処理パレット２２および素材パレットが、選択されたトラックに対応するパレットに置き換えられる。
【００７０】
サウンドトラック３４の下には、トラック用のスクロールバー３８が表示され、一連のシーケンスのうち画面に表示されていない部分を移動させて表示することができる。
【００７１】
また、トラックの表示の右上には、トラックの表示の拡大、縮小を指示する虫眼鏡を図形とするアイコンが表示されている。虫眼鏡のレンズ内にマイナスを表示したトラック縮小表示アイコン７４をクリックすると、クリックする毎に所定の割合でトラックの時間軸が縮小して表示され、虫眼鏡のレンズ内にプラスを表示したトラック拡大表示アイコン７６をクリックすると、クリックする毎に所定の割合でトラックの時間軸が拡大して表示される。虫眼鏡のレンズ内に何も表示されていないトラック所定表示アイコン７５をクリックすると、画面には、３０秒の長さのトラックが表示される。
【００７２】
なお、第１の処理アイコンを第１の時刻に設定することによりその第１の処理アイコンに対応する第１の処理の開始時刻がその第１の時刻に設定される。次に、第２の処理アイコンを第１の時刻の後の第２の時刻に設定すると、その第２の時刻に第１の処理が終了し、第２の処理アイコンに対応する処理が開始される。したがって、第１の処理は第１の時刻から第２の時刻まで行われ、この一つの処理をクリップといい、第１の時刻から第２の時刻までの時間をクリップ時間という。
【００７３】
図２に示されているバックトラック３２では、処理アイコンＡ−８が設定された時刻から処理アイコンＡ−４６が設定された時刻までが、処理Ａ−８が行われる一つのクリップである。図２に、処理Ａ−８、処理４−４６それぞれのクリップを一点鎖線３６で示す。処理アイコンが設定されるとクリップを示す領域がトラック内に表示される。
【００７４】
クリップを指定するには、この一点鎖線で示した領域内の任意の箇所をマウスでクリックする。指定されたクリップは、その領域の表示を反転するなどして、ユーザに報知される。後述するように、クリップを指定し、クリップを移動したり、コピーしたり、消去することができる。
【００７５】
処理パレット２２の下方には、シーケンスの再生を指示する操作用アイコンが表示されている。左端の左向き矢印の頭出しアイコン２４は、シーケンスの先頭に再生位置を設定するもの、その右の巻き戻しアイコン２５は、再生位置をシーケンスの先頭方向へ戻すように指示するもの、正方形が描かれている停止アイコン２６は、再生の停止を指示するもの、その隣の右方向を示す三角形が描かれている再生開始アイコン２７は、再生の開始を指示するもの、その右隣りのアイコンは、再生位置をシーケンスの先の方へ早く移動するように指示するもの、そしてその右の隣の右向きの矢印の終端アイコン２９は、再生位置をシーケンスの終端へ設定するものである。
【００７６】
その右隣の矢印が二つ輪のように連なっているループアイコン３０は、シーケンスを繰り返し再生するように指示するもので、このアイコンがオンに設定された場合は、シーケンスの終端まで再生されると再びシーケンスの最初から再生される。
【００７７】
ループアイコン３０の右隣りには、シーケンスの先頭から現在再生されている再生位置の時刻を表示する現在時間表示７７が配置されている。上位２桁は、分を、次の２桁は秒を、最後の３桁はミリ秒を表示するものである。
【００７８】
トラック表示の左上には、自動スクロールアイコン６５が表示され、このアイコンをオンに設定すると、再生中に、トラックの表示が再生に合わせてスクロールされ、再生されている画面と各トラックに設定されてるアイコンとを見比べて確認することができる。
【００７９】
その自動スクロールアイコン６５の右隣のクリップ移動アイコン６６は、あるクリップを移動操作する場合に、そのクリップを単独で移動するのか、後続の全クリップの開始時間が平行に移動するかを選択することができるものである。すなわち、このクリップ移動アイコン６６をオフの状態で、例えば２番目のクリップを前に移動すると、２番目のクリップの開始時刻は、移動するが、３番目以降のクリップは、移動しない。従って、この場合には１番目のクリップのクリップ時間は短縮され、２番目のクリップのクリップ時間が延長される。
【００８０】
一方、このクリップ移動アイコン６６をオンの状態で、２番目のクリップを前方に移動すると、２番目以降の全クリップの開始時間が、それらの間隔を維持したまま前方へ移動される。従って、この場合には、１番目のクリップのクリップ時間は短縮され、トラックの最後に設定されているクリップのクリップ時間のみが延長される。
【００８１】
消去アイコン６７は、クリップの消去を指示するもので、まず消去するクリップをマウスでクリックし、クリップの領域が反転表示されたのを確認して、この消去アイコン６７をクリックすることにより消去することができる。あるクリップが消去されると、そのクリップの前に設定されているクリップが、消去されたクリップの次に設定されているクリップまで、延長される。トラックの最後のクリップが消去された場合には、そのクリップの前に設定されているクリップが、トラックの最後まで延長される。
【００８２】
コピーアイコン６８は、クリップのコピーを指示するもので、コピーしたいクリップをマウスでクリックし、続いてこのコピーアイコン６８をクリックする。このコピーしたクリップを貼り付ける場合には、マウスで貼付たいトラック上の位置をクリックして指定し、次にペーストアイコン６９をクリックすることにより、コピーされたクリップが貼付けられる。このようにして、クリップを消去、または貼付を行ったが、間違えて消去したり貼り付けた場合には、アンドゥアイコン７０をクリックすることにより、一つ前の状態へ復帰することができる。
【００８３】
シーケンスデータ１３ｄの編集が完成すると、その完成したシーケンスデータ１３ｄを保存することができる。この編集画面の最上部に表示されているセーブアイコン６２をクリックすることにより、ＲＡＭ１３に記憶されている素材パレット表１３ｃおよびシーケンスデータ１３ｄは、プロジェクトデータ１５ｃとしてハードディスク１５に記憶される。記憶する際に、プロジェクトに名前を付して記憶する。
【００８４】
記憶したプロジェクトを、再生する場合または編集する場合は、セーブアイコン６２の左隣のチェンジアイコン６１をクリックする。チェンジアイコン６１をクリックすると、ダイアログが開き、ハードディスク１５に記憶されたプロジェクトデータ１５ｃのリストが表示され、そのリストから一つのプロジェクトを選択することにより、そのプロジェクトのデータがＲＡＭ１３に転送される。
【００８５】
次に、各画像処理のパラメータを設定する方法について説明する。処理パレット２２に表示されている処理アイコン、またはトラックの時間軸の所定の時刻に設定された処理アイコンを指定することにより、処理アイコンに対応する処理のパラメータを設定することができる。処理パレット２２に表示されている処理アイコンを指定してパラメータを設定した場合には、その設定以降にトラックに設定された処理アイコンがその設定されたパラメータで動作するが、トラックに設定された処理アイコンを指定してパラメータを設定した場合には、処理パレット２２に表示されている処理アイコンの処理のパラメータを変更しない。したがって、この場合には、トラックに設定されている処理のパラメータだけが変更される。
【００８６】
処理パレット２２に表示されている処理アイコン、またはトラックに表示されている処理アイコンをクリックし、編集画面のトラックの中央上に表示されている処理情報アイコン７１をクリックすると、指定された処理アイコンに対応する処理のパラメータ設定画面が表示される。このパラメータ設定画面を、図３，図４、図５および図６に示す。
【００８７】
図３は、処理パレット２２の８番目に表示されているワイプと呼ばれる処理のパラメータ設定画面を示す図である。処理アイコン４１が示すように、１つの画像Ａを表示している状態から、他の画像Ｂを右方から左方へ徐々に移動して表示を切り換える処理である。この処理時間４３は、１０秒に設定されている。この場合には、処理を開始して最初の処理時間４３の３分の１の時間である３．３秒は、画像Ａを表示し、次の３．３秒の間は、徐々に画像Ａから画像Ｂに切り替わり、残りの３．３秒は、画像Ｂが表示される。この処理時間４３を変更する場合は、処理時間４３を設定するスライドアイコン５０をマウスで操作する。スライドアイコン５０を右方に移動すれば、処理時間４３は長く設定され、左方へ移動すると短く設定される。同様に、画像Ａ，ＢのＹ座標（上下方向）４４も、スライドアイコン５４をマウスで操作し、スライドアイコン５４を右方に移動すれば、Ｙ座標を上方に、左方へ移動すると下方へ設定することができる。なお、図２のバックトラック３２に示される処理時間マーク３５は、処理の開始からの処理時間を示すものであり、上述のようにして処理時間４３が変更されると、この処理時間マークの表示位置も変更される。
【００８８】
各処理のパラメータには、予めプリセット値が記憶されており、リセットアイコン４５をクリックすると、プリセット値に設定される。素材表示領域であるフォト４２には、選択されている２つの画像Ａ、Ｂが表示され、再生開始アイコン４７をクリックすると、プレビュー画面２１に設定されたパラメータに従って処理が行われた画像が表示される。
【００８９】
再生停止アイコン４６をクリックすると再生が停止される。このようにして設定したパラメータを登録する場合には、ＯＫアイコン４９をクリックする。また、パラメータを設定したが、もとの設定でよい場合には、キャンセルアイコン４８をクリックする。このキャンセルアイコン４８またはＯＫアイコン４９をクリックするとパラメータ設定画面が、消去され、編集画面に戻る。
【００９０】
図４は、処理パレット２２の１６番目に表示されている処理のパラメータ設定画面を示す図で、この処理もワイプではあるが、まず表示画面に画像Ａだけが表示され、画像Ａを形成する平面の右端に、画像Ｂを形成する平面の左端が直角に接触し、そのまま徐々に左方向へ回転して最終的に画像Ｂだけが、表示画面に表示されるという処理である。
【００９１】
この処理の場合も、図３の場合と同様に処理時間４３は、１０秒に設定され、処理を開始して最初の処理時間４３の３分の１の時間である３．３秒は、画像Ａを表示し、次の３．３秒の間は、徐々に画像Ａから画像Ｂに切り替わり、残りの３．３秒は、画像Ｂが表示される。ループアイコン５２をマウスでクリックすることによりオンに設定すると、この処理時間４３の１０秒の処理を繰り返し行う。例えば、処理時間４３が１０秒に設定され、クリップ時間が２０秒に設定されると、１０秒に設定されている処理が２回行われることになる。また、この図４の処理では、画像の大きさをズーム５１という処理パラメータにより任意に変更することができる。この処理時間４３、Ｙ座標（上下方向）４４およびズームの変更は図３の場合と同様であるので説明を省略する。
【００９２】
図５は、処理パレット２２の４６番目に表示されている処理のパラメータ設定画面を示す図である。この処理は、画像Ａを画面中央に比較的大きく表示し、この画像Ａの周囲を画像Ａよりは小さく表示された画像（静止画）Ｂと画像（静止画）Ｃとが回転して表示されるというものである。                                         
この処理におけるパラメータとしては、静止画Ｂの回転速度および静止画Ｃの回転速度
、背景の色（バックカラー）がある。これらの処理パラメータ５３も、それぞれスライドアイコンをマウスで操作することにより任意に設定することができる。その他のアイコンについては、上述のアイコンと同一であるので説明を省略する。
【００９３】
図６は、処理パレット２２の５９番目に表示されている処理のパラメータ設定画面を示す図である。この処理は、最初、画像Ａ、画像Ｂ、画像Ｃおよび画像Ｄを画面を４つの区画に等分してそれぞれのを区画に表示し、次に画像Ａが徐々に大きく表示されて全画面に
表示されるという処理である。処理時間４３が１０秒に設定されている場合には、最初の３分の１の時間である３．３秒間は、４つの画像が等分された区画に表示され、つぎの３．３秒間で、画像Ａが、徐々に拡大表示されて全画面に表示され、最後の３．３秒間は画像Ａが、全画面に表示される。ループアイコン５２がオンに設定されると、この処理時間４３の一連の処理が繰り返し行われる。その他のアイコンについては、上述のアイコンと同一であるので説明を省略する。
【００９４】
次に、処理パレット２２に表示されている処理アイコンに対応して記憶されるデータを示す処理パレット表１３ｂおよび素材パレット２３に記憶されている素材アイコンに対応して記憶されているデータを示す素材パレット表１３ｃおよびシーケンスデータ１３ｄについて説明する。
【００９５】
図７（ａ）は、処理パレット２２に表示されている処理アイコンに対応してＲＡＭ１３に記憶されるデータを示す処理パレット表１３ｂである、各処理アイコンには、アイコンの図形を表す図形データと、処理時間４３と、素材数と、処理アイコンに対応する処理のプログラムが記憶されているアドレスと、その他のパラメータが記憶されている。アイコンの図形を表す図形データは、処理パレット２２に表示されるとともに、トラックに設定された場合には、トラックに表示され、また、処理のパラメータ設定画面が開かれた場合には、その画面に表示される図形であり、処理の概要を表すものである。
【００９６】
処理時間４３は、処理のパラメータ設定画面において、設定される処理時間４３である。素材数は、この処理において処理される画像の数である。処理アイコンが処理パレット２２からドラッグされてトラック上に設定されると、この素材数の画像が素材として、素材パレット２３から選択される。
【００９７】
素材パレット２３から素材が選択される方法は、まず、空のトラックに最初に処理アイコンが設定された場合は、素材パレット２３の先頭に表示されている素材アイコンから順に素材数の数の画像が選択される。すでに、他の処理アイコンが、トラックに設定されている場合には、その設定されている処理アイコンが処理する素材の内、最後に表示される画像を、今回の処理の最初に処理される画像とし、素材数が２以上の場合には、素材パレット２３に表示されていて、まだ使用されていない残りの素材を画像の順序の早い方から順に選択される。
【００９８】
プログラムの記憶アドレスは、処理アイコンに対応する画像処理を行う処理プログラム１５ａが記憶されているハードディスク１５のアドレスであって、処理が行われる場合には、このアドレスに基づいて処理プログラム１５ａが読み出され、ＲＡＭ１３に転送されてＣＰＵ１１により実行される。他のパラメータは、処理のパラメータ設定画面において説明したように、表示される画面のＹ座標や、ループアイコンをオンに設定しているかオフに設定しているかなどのパラメータである。
【００９９】
図７（ａ）に示す表では、Ａ−１の処理アイコンについて、処理時間４３が１０秒であり、この処理により使用される素材数は２であり、この処理を行うプログラムは、アドレスＰ１に記憶され、他のパラメータとしてＹ座標等が設定されていることが示されてる。
【０１００】
図７（ｂ）は、素材パレット２３に表示されている表示順に対応してＲＡＭ１３に記憶される素材に関するデータを示す素材パレット表１３ｃである。素材アイコンは、静止画の場合は、その静止画を縮小して表示し、動画の場合は、動画の中の一つの画像（例えば、最初の画像）が縮小されて表示される。素材パレット２３に表示されている順序に対応し、画像を示す番号とその画像が記憶されているハードディスク１５の素材データ１５ｂの記憶アドレスとを記憶している。従って、素材パレット２３に表示されている画像が変更された場合は、その変更された素材パレット２３の表示順に応じて、画像番号とその画像が記憶されているアドレスとが変更され、素材パレット２３には、その画像を縮小した画像が表示される。図７（ｂ）に示す表では、素材パレット２３の表示順であるＢ−１には、画像番号としてフォト１０が設定され、そのフォト１０は、ハードディスク１５のアドレスＳ１に記憶されていることが示されている。
【０１０１】
図７（ｃ）は、シーケンスデータ１３ｄを示すもので、まず、シーケンスデータ１３ｄの先頭に、シーケンスの先頭から終端までの時間であるシーケンス時間３１が記憶されている。このシーケンス時間３１は、編集画面に表示されているものである。続いて、処理アイコンにより設定された処理開始時刻と、その処理アイコンの種類と、その処理により処理される素材の素材パレット２３に表示されている表示順と、処理パラメータとが記憶されている。これらのデータは、処理開始時刻順に記憶されている。
【０１０２】
シーケンスデータ１３ｄとして記憶される素材は、直接画像を特定する画像番号または画像が記憶されているアドレスではなく、素材パレット２３に表示されている表示順である。従って、処理の対象となる素材は、素材パレット表１３ｃを参照し、表示順に対応して記憶されている画像番号または画像を記憶しているアドレスに従って、画像データが読み出される。
【０１０３】
シーケンスデータ１３ｄとして、素材パレット２３の表示順を記憶しているので、素材パレット２３を書き換えることにより、シーケンスにより処理される画像を変更することができる。このことにより、素材パレット２３に表示されている素材をフォルダごと入れ替えると、処理のシーケンスは、同一で、素材だけをそっくり入れ替えることができる。例えば、商品Ａの複数の静止画を使用して、商品Ａのプロモーション用のシーケンスを作成し、商品Ａと同様に商品Ｂの複数の静止画を配置したフォルダを作成して、素材パレット２３を商品Ａのフォルダから商品Ｂのフォルダへ置き換えるだけで、商品Ｂのプロモーション用の映像を作成することができる。
【０１０４】
シーケンスデータ１３ｄとして記憶される処理パラメータは、トラック上に処理アイコンが設定されたとき、処理パレット表１３ｂからその処理アイコンに対応する処理パラメータが転記される。このシーケンスデータ１３ｄに基づいて再生処理が行われる場合には、この処理パラメータに基づいて処理が行われる。編集画面のトラック上に表示された処理アイコンを指定することにより、処理のパラメータが、設定された場合には、この処理パラメータが変更設定される。
【０１０５】
図７（ｃ）に示すシーケンスデータ１３ｄの例では、シーケンス時間３１は、３分に設定され、時刻０分０秒から処理アイコンＡ−１により示される処理が、素材パレット２３のＢ−１とＢ−２とに表示される素材を用いて行われることが示されている。
【０１０６】
次に、上記のように構成された処理シーケンス編集装置１において、ＣＰＵ１１により実行される各種設定処理を示すメイン処理と設定されたシーケンスデータ１３ｄに基づいて処理される再生処理について、フローチャートを参照して説明する。
【０１０７】
図８は、メイン処理を示すフローチャートであり、この処理は、処理シーケンス編集装置１において、このメイン処理が立ち上げられてから、終了するまで実行されるものである。まず、初期設定を行う（Ｓ１）。この初期設定としては、処理パレット２２および素材パレット２３等を含む編集画面を表示器２０に表示し、現在時刻７７を０分０秒に設定するなどの処理を行う。
【０１０８】
次に、処理設定が行われたかを確認する（Ｓ２）。この処理設定とは、処理アイコンが選択されてトラックの所望の時刻にドラッグされたかを確認するものであり、処理設定が行われた場合は（Ｓ２：Ｙｅｓ）その選択された処理アイコンをトラックの設定された時刻に合わせて表示し、シーケンスデータ１３ｄにその時刻と、選択された処理アイコンの種類と、処理パレット表１３ｂの選択された処理アイコンに対応する処理パラメータを記憶する。
【０１０９】
次に処理パレット表１３ｂを参照して、その処理アイコンに対応して設定されている素材数を読み込む（Ｓ３）。次に読み込んだ素材数に応じて、その処理アイコンに対応した画像処理の対象となる素材を素材パレット２３に表示されている順序に基づいて設定する。トラックに、初めて処理アイコンが設定された場合は、素材パレット２３に表示されている先頭の素材から順に素材数に対応する素材を選択し、すでに処理アイコンが設定されている場合には、先に設定されている処理において最後に処理される素材を今回設定された処理により最初に処理される素材とし、その素材に続いて素材パレット２３に表示されている順に基づいて素材数に対応する素材を選択する。
【０１１０】
こうして、素材を選択すると、その素材の画像を、トラック上に表示された処理アイコンの時間軸上で後（図では右方向）に表示する。このとき、シーケンスデータ１３ｄとしては、処理アイコンが設定された時刻に対応して、処理アイコンの種類を示す符号と、素材が表示されている素材パレット２３の表示順序を記憶する。素材の数が複数の場合は、それぞれの素材について、素材パレット２３の表示順序を記憶する（Ｓ４）。
【０１１１】
Ｓ２の判断処理において、処理設定が行われなかったと判断した場合（Ｓ２：Ｎｏ）またはＳ４の処理を終了した場合は、トラック上に表示されている素材が、変更されたかを確認する（Ｓ５）。上述の通り、処理アイコンがトラック上に設定されると、素材パレット２３から素材パレット２３に表示されている順序に応じて素材が選択されるが、選択された素材を変更する場合には、素材パレット２３に表示されている任意の素材をトラック上に表示されている素材までドラッグすることにより変更することができる。この操作が行われた場合は（Ｓ５：Ｙｅｓ）、変更された素材の画像を入れ替え、シーケンスデータ１３ｄの素材の表示順を変更された素材が表示されている表示順に変更する（Ｓ６）。
【０１１２】
Ｓ５の判断処理で、トラック上に表示されている素材の変更が行われなかったと判断した場合（Ｓ５：Ｎｏ）またはＳ６の処理が終了した場合は、素材パレット２３に表示されている素材が変更されたかを判断する（Ｓ７）。素材パレット２３に表示されている素材がマウスによりダブルクリックされ、表示された素材のリストの中から一つの素材を選択することにより、素材パレット２３の一つの素材を変更することができる。また、編集画面において、ロード７２がクリックされると、素材を複数記憶したフォルダが複数表示され、そのフォルダの一つを選択することにより、素材パレット２３に表示されている素材がすべて消去されて、選択されたフォルダに記憶されている素材が、順に素材パレット２３に表示され、素材パレット表１３ｃが書き換えられる。素材パレット２３に表示されている素材が変更された場合は（Ｓ７：Ｙｅｓ）、素材パレット２３の表示を変更されたアイコンの表示に変更し（Ｓ８）、素材パレット表１３ｃに記憶されている画像番号とハードディスク１５の画像の記憶アドレスとを変更する（Ｓ９）。
【０１１３】
次に、その変更前の素材アイコンが、トラック上に表示されているかを判断する（Ｓ１０）。この判断は、変更された素材アイコンの素材パレットの表示順がシーケンスデータ１３ｄに記憶されているかを調べることにより判断される。変更された素材アイコンがトラック上に表示されている場合は（Ｓ１０：Ｙｅｓ）、その素材アイコンを、変更後の素材アイコンに置き換える（Ｓ１１）。
【０１１４】
Ｓ７の判断処理において、素材パレット２３の変更が行われなかったと判断した場合（Ｓ７：Ｎｏ）、Ｓ１０の判断処理において、変更された素材アイコンがトラックに表示されていないと判断した場合（Ｓ１０：Ｎｏ）またはＳ１１の処理を終了した場合は、処理パラメータ設定が指示されたかを確認する（Ｓ１２）。この指示は、編集画面において、いずれかの処理アイコンがクリックされ、続いて処理情報アイコン７１がクリックされることにより行われる。この指示があった場合は、前述の通り、指定された処理アイコンに対応する処理のパラメータ設定画面が表示され、処理時間４３や、表示される画像のＹ座標などが設定される（Ｓ１３）。
【０１１５】
Ｓ１２の判断処理において、処理パラメータ設定が指示されていないと判断した場合（Ｓ１２：Ｎｏ）またはＳ１３の処理を終了した場合は、シーケンス時間３１が設定されたかを確認する（Ｓ１４）。シーケンス時間３１の設定は、編集画面に表示されているシーケンス時間３１の分または秒にカーソルを合わせて直接値を入力してもよいし、このシーケンス時間３１の表示をダブルクリックすることにより、図示しないシーケンス時間設定画面が表示され、この画面において、シーケンス時間３１を設定してもよい。このシーケンス時間設定画面では、シーケンス時間３１を変更した場合に、各処理のクリップ時間と各処理の処理時間４３とが、シーケンス時間３１の変更に応じて変更するか否かを設定する設定アイコンが表示される。シーケンス時間３１の変更に応じて、クリップ時間や処理時間４３を変更しないことを選択した場合は、各処理のクリップ時間と処理時間４３は、そのままでシーケンス時間３１のみが変更される。一方、シーケンス時間３１の変更に応じてクリップ時間と処理時間４３を変更することを選択した場合は、シーケンス時間３１を変更すると、変更前のシーケンス時間３１と、変更後のシーケンス時間３１との比に応じて、各処理のクリップ時間と処理時間４３が変更される。例えば、シーケンス時間３１が５分から４分に変更された場合は、クリップ時間が５０秒に設定されている処理の場合には、クリップ時間が４０秒に、処理時間４３が２０秒に設定されている場合には１６秒に変更される。したがって、その処理のループアイコンがオンに設定されている場合には、繰り返し行われる処理の時間であるループ時間が、２０秒から１６秒に変更される。したがって、シーケンス時間３１が変更されても、繰り返し行われる処理の回数は、変化しないことになる。
【０１１６】
シーケンス時間３１が設定された場合は（Ｓ１４：Ｙｅｓ）、編集画面に表示されているシーケンス時間３１を変更し、シーケンスデータ１３ｄとして記憶されているシーケンス時間３１を変更する。また、シーケンス時間３１の変更に応じてクリップ時間と処理時間４３を変更するように設定されている場合には、クリップ時間を変更して編集画面の表示を変更し、変更されたクリップ時間に一致するように、シーケンスデータ１３ｄを変更する。また、変更された処理時間４３を、シーケンスデータ１３ｄに記憶する（Ｓ１５）。
【０１１７】
Ｓ１４の判断処理において、シーケンス時間３１の設定が行われなかったと判断した場合（Ｓ１４：Ｎｏ）またはＳ１５の処理を終了した場合は、その他の処理を実行して（Ｓ１６）、Ｓ２の処理へ戻る。その他の処理は、編集画面に表示された各種アイコンがマウスによりクリックされたかを検出し、クリックされた場合には、そのアイコンに対応する処理を行うなどの処理である。
【０１１８】
次に、上記のようにして作成されたシーケンスデータ１３ｄに基づいて、画像の再生を行う再生処理について説明する。編集画面に表示されている再生開始アイコン２７がクリックされると、ＣＰＵ１１は、所定時間（例えば１ｍｓｅｃ）毎にタイマーインターラプトを発生する。図９は、このタイマーインターラプトにより起動される、割込ルーチンを示すフローチャートである。まず、再生の停止を指示する操作が行われたかを確認する（Ｓ２１）。この操作は、編集画面の停止アイコン２６をマウスでクリックすることにより行われる。停止が指示された場合は（Ｓ２１：Ｙｅｓ）、再生を終了し（Ｓ２４）メインルーチンに戻る。
【０１１９】
再生の停止指示がない場合は（Ｓ２１：Ｎｏ）、現在の時刻ｔを１進め（Ｓ２２）編集画面に表示されている現在時刻７７の表示を更新し、現在時刻が、シーケンス終了時刻であるかを確認する（Ｓ２３）。現在時刻が、シーケンス終了時刻の場合は（Ｓ２３：Ｙｅｓ）、再生を終了し（Ｓ２４）メインルーチンへ戻る。現在時刻がシーケンス終了時刻ではない場合は（Ｓ２３：Ｎｏ）、シーケンスデータ１３ｄ（図７（ｃ））を参照し、現在時刻に一致する新たな処理アイコンが記憶されているかを確認する（Ｓ２５）。
【０１２０】
現在時刻に、一致する新たな処理アイコンが記憶されている場合は（Ｓ２５：Ｙｅｓ）、先に行われている処理を中止し、その時刻に設定されている処理アイコンに対応する処理を、その時刻に記憶されている素材パレット２３の表示順により特定される素材を用いて、処理を開始するように設定する（Ｓ２６）。現在時刻に一致する新たな処理アイコンが記憶されていない場合（Ｓ２５：Ｎｏ）または、Ｓ２６の処理の次に、現在時刻において行う画像処理行い（Ｓ２７）この割り込み処理を終了して、メインルーチンへ戻る。
【０１２１】
したがって、編集画面において、処理アイコンを時間軸を表すトラックの上に配置するだけで、時間経過にしたがって、処理のシーケンスを編集することができる。この場合に、処理の種類を選択することにより、素材パレット２３に表示されている順序に応じて、素材が選択される。よって、従来のように、素材を選択して、次に処理を選択するというような面倒な操作は、不要となり、使い勝手が良い。
【０１２２】
なお、請求項１または１２でいう処理表示ステップまたは処理表示手段は、図８に示すフローチャートのＳ１の処理が該当し、処理選択ステップまたは処理選択手段は、図８に示すフローチャートのＳ２の処理が該当し、処理開始時刻設定ステップまたは処理開始時刻設定手段は、図８に示すフローチャートのＳ３とＳ４の処理が該当し、画像処理ステップまたは画像処理手段は、図９に示すフローチャートが該当する。
【０１２３】
また、請求項２または１３でいうシーケンス時間変更ステップまたはシーケンス時間変更手段は、図８に示すフローチャートのＳ１５の処理が、クリップ時間変更ステップまたはクリップ時間変更手段は、図８に示すフローチャートのＳ１５の処理が該当する。また、請求項３または１４でいうループ時間変更ステップまたはループ時間変更手段は、図８に示すフローチャートのＳ１５の処理が該当する。
【０１２４】
また、請求項４、５、１５または１６でいう素材表示ステップまたは素材表示手段は、図８に示すフローチャートのＳ１の処理が該当し、素材選択ステップまたは素材選択手段は、図８に示すフローチャートのＳ４の処理が該当する。また、請求項７または１８でいうトラック表示ステップまたはトラック表示手段は、図８に示すフローチャートのＳ４の処理が該当する。
【０１２５】
また、請求項９または２０でいう表示順記憶ステップまたは表示順記憶手段は、図８に示すフローチャートのＳ４が該当し、画像アドレス記憶ステップまたは画像アドレス記憶手段および素材画像設定ステップまたは素材画像設定手段および画像アドレス変更ステップまたは画像アドレス変更手段は、図８に示すフローチャートのＳ８とＳ９の処理が該当する。  また、請求項１０または請求項２１でいうトラック表示変更ステップまたはトラック表示変更手段は、図８に示すフローチャートのＳ１１が該当する。
【０１２６】
以上、実施例に基づき本発明を説明したが、本発明は上述した実施例に何ら限定されるものではなく、本発明の趣旨を逸脱しない範囲内で種々の改良変更が可能であることは容易に推察できるものである。
【０１２７】
例えば、上記実施例では、処理アイコンを選択することにより、その処理アイコンに設定されている素材数に基づいて、素材が選択されるようにしたが、素材を予め選択しておいて、その素材に対して、種々の処理を行うようなシーケンスを編集するようにしてもよい。
【０１２８】
また、上記実施例では、処理アイコンをトラック上に設定した場合に、先に設定されている処理の最後に処理されている素材を、今回の処理において処理される最初の素材としたが、先に処理されている素材のなかで、ユーザが任意に設定した素材を今回の処理において最初に処理されるようにしてもよい。
【０１２９】
また、上記実施例では、処理アイコンをトラック上に設定した場合に、先に設定されている処理の最後に処理されている素材を、今回の処理において処理される最初の素材としたが、先に処理されている素材のなかで、最も大きく表示されている画像、または最も明るい画像などの画像の特性に応じて選択された素材を今回の処理において最初に処理されるようにしてもよい。
【図面の簡単な説明】
【０１３０】
【図１】本発明による処理シーケンス編集装置の電気的な構成を示すブロック図である。
【図２】編集画面を示す図である。
【図３】処理パレットの８番目の処理におけるパラメータ設定画面を示す図である。
【図４】処理パレットの１６番目の処理におけるパラメータ設定画面を示す図である。
【図５】処理パレットの４６番目の処理におけるパラメータ設定画面を示す図である。
【図６】処理パレットの５９番目の処理におけるパラメータ設定画面を示す図である。
【図７】ＲＡＭに記憶されるデータを示す図であって、（ａ）は、処理パレット表を、（ｂ）は、素材パレット表を、（ｃ）はシーケンスデータをそれぞれ示す。
【図８】メイン処理を示すフローチャートである。
【図９】再生処理を示すフローチャートである。
【符号の説明】
【０１３１】
１                    処理シーケンス編集装置
１１                  ＣＰＵ
１２                  ＲＯＭ
１３                  ＲＡＭ
１３ａ                処理シーケンス編集プログラム
１３ｂ                処理パレット表（素材数記憶手段）
１３ｃ                素材パレット表（画像アドレス記憶手段）
１３ｄ                シーケンスデータ
１５                  ハードディスク（画像記憶手段）
１５ａ                処理プログラム
１５ｂ                素材データ
２０                  表示器（表示手段）
２２                  処理パレット
２３                  素材パレット
３１                  シーケンス時間
４３                  処理時間（ループ時間）  
【図１】
2006050154.tif 000003
【図２】
2006050154.tif 000004
【図３】
2006050154.tif 000005
【図４】
2006050154.tif 000006
【図５】
2006050154.tif 000007
【図６】
2006050154.tif 000008
【図７】
2006050154.tif 000009
【図８】
2006050154.tif 000010
【図９】
2006050154.tif 000011